(57)【要約】【課題】ユーザが操作することなく、表示部の背景画像を切換え可能なメール情報端末を提供する。【解決手段】受信メール蓄積手段１２はメール受信手段１１が受信したメールを記憶し、背景画像記憶手段１３は背景画像を記憶する。表示手段１４は画像データの表示が可能となっている。背景画像判定手段１６は受信したメールの添付文書が背景画像かを判定し、その画像が表示手段１４に表示できるフォーマット及びサイズであることを検出する。背景画像展開手段１７は受信メールの添付ファイルを背景画像記憶手段１３に展開する。背景画像表示手段１８は背景画像記憶手段１３に記憶された画像を表示手段１４に表示する。表示不可メール返信手段１９は受信した背景画像が表示手段１４に表示できない画像の場合、表示できないことと、表示可能な画像の情報とをメールで返送する。【選択図】　　　図１
2004145492.tif 000002
【特許請求の範囲】
【請求項１】
文字データ及び画像データが表示可能な画像表示部を含み、受信した電子メールの内容を前記画像表示部に表示するメール情報端末であって、前記受信した電子メールに添付された添付ファイルが前記画像表示部の背景に表示される背景画像のファイルか否かを検出する手段と、前記背景画像のファイルであることが検出された時に前記画像表示部の背景に表示中の背景画像を当該背景画像のファイルの画像に切換えて表示する手段とを有することを特徴とするメール情報端末。
【請求項２】
前記背景画像のファイルの画像が前記画像表示部に表示できない画像の場合に当該背景画像のファイルの発信元に前記画像表示部に表示不可であることを前記電子メールにて通知する手段を含むことを特徴とする請求項１記載のメール情報端末。
【請求項３】
前記表示不可であることを前記電子メールにて通知する手段は、少なくとも前記画像表示部に表示可能な画像のフォーマット及びサイズを前記発信元に通知することを特徴とする請求項２記載のメール情報端末。
【請求項４】
前記画像表示部を搭載する電話機及び携帯電話機のうちの少なくともいずれかであることを特徴とする請求項１から請求項３のいずれかに記載のメール情報端末。
【請求項５】
文字データ及び画像データが表示可能な画像表示部を含み、受信した電子メールの内容を前記画像表示部に表示するメール情報端末の背景画像表示方法であって、前記受信した電子メールに添付された添付ファイルが前記画像表示部の背景に表示される背景画像のファイルか否かを検出するステップと、前記背景画像のファイルであることが検出された時に前記画像表示部の背景に表示中の背景画像を当該背景画像のファイルの画像に切換えて表示するステップとを有することを特徴とする背景画像表示方法。
【請求項６】
前記背景画像のファイルの画像が前記画像表示部に表示できない画像の場合に当該背景画像のファイルの発信元に前記画像表示部に表示不可であることを前記電子メールにて通知するステップを含むことを特徴とする請求項５記載の背景画像表示方法。
【請求項７】
前記表示不可であることを前記電子メールにて通知するステップは、少なくとも前記画像表示部に表示可能な画像のフォーマット及びサイズを前記発信元に通知することを特徴とする請求項６記載の背景画像表示方法。
【請求項８】
前記画像表示部を搭載する電話機及び携帯電話機のうちの少なくともいずれかに用いられることを特徴とする請求項５から請求項７のいずれかに記載の背景画像表示方法。
【請求項９】
文字データ及び画像データが表示可能な画像表示部を含み、受信した電子メールの内容を前記画像表示部に表示するメール情報端末の背景画像表示方法のプログラムであって、コンピュータに、前記受信した電子メールに添付された添付ファイルが前記画像表示部の背景に表示される背景画像のファイルか否かを検出する処理と、前記背景画像のファイルであることが検出された時に前記画像表示部の背景に表示中の背景画像を当該背景画像のファイルの画像に切換えて表示する処理とを実行させるためのプログラム。
【発明の詳細な説明】
【０００１】
【発明の属する技術分野】
本発明はメール情報端末及びそれに用いる背景画像表示方法並びにそのプログラムに関し、特に電話機や携帯電話機等の画像表示部を具備する電子メール端末装置に関する。
【０００２】
【従来の技術】
近年、電話機や携帯電話機等の通信端末においては、電子メールやインタネットの閲覧等が可能な端末が増えており、それらの文字データや画像データ等を表示するための画像表示部が具備されるようになってきている。
【０００３】
この画像表示部には電子メールやインタネットの閲覧等の文字データや画像データ等以外にも、待ち受け時に、あるいは端末の操作時に表示画面上に、いわゆる待ち受け画面等と呼ばれる、背景としての画像データ（以下、背景画像とする）が表示されるようになっている。
【０００４】
この場合、背景画像としては通信端末に事前に用意された画像データやインタネットに接続してコンテンツサーバ等からダウンロードした画像データ、またはパーソナルコンピュータ等で加工された画像データ、他の通信端末から送られてきた画像データ等がある。
【０００５】
さらに、携帯電話機の中には、ＣＣＤ（Ｃｈａｒｇｅ　Ｃｏｕｐｌｅｄ　Ｄｅｖｉｃｅ）等の撮像素子を搭載し、人や物、景色等を撮影可能なものも増えており、この撮像素子で撮影した画像データが背景画像として使用可能となっている（例えば、特許文献１参照）。
【０００６】
【特許文献１】
特開２０００−２４４６７３（第１０，１１頁、図１）
【０００７】
【発明が解決しようとする課題】
しかしながら、上述した従来の電話機や携帯電話機等の通信端末では、表示部の背景画像を変更するために、ユーザが操作を行わないと、背景画像の切換えを行うことができないという問題がある。
【０００８】
また、従来の電話機や携帯電話機等の通信端末では、通信端末に予め具備した背景画像以外を表示する時に、インタネットに接続して画像を探し、ダウンロードしなければならないという問題がある。
【０００９】
さらに、従来の電話機や携帯電話機等の通信端末では、インタネットからダウンロードした画像のサイズが表示サイズより大きい場合、表示可能なサイズに切出して表示するため、表示したい画像のすべてを表示することができないという問題がある。
【００１０】
さらにまた、従来の電話機や携帯電話機等の通信端末では、背景画像を検索する毎にインタネットに接続しなければならないため、背景画像の検索を頻繁に行うことが困難である。
【００１１】
そこで、本発明の目的は上記の問題点を解消し、ユーザが操作することなく、表示部の背景画像を切換えることができるメール情報端末及びそれに用いる背景画像表示方法並びにそのプログラムを提供することにある。
【００１２】
【課題を解決するための手段】
本発明によるメール情報端末は、文字データ及び画像データが表示可能な画像表示部を含み、受信した電子メールの内容を前記画像表示部に表示するメール情報端末であって、前記受信した電子メールに添付された添付ファイルが前記画像表示部の背景に表示される背景画像のファイルか否かを検出する手段と、前記背景画像のファイルであることが検出された時に前記画像表示部の背景に表示中の背景画像を当該背景画像のファイルの画像に切換えて表示する手段とを備えている。
【００１３】
本発明による背景画像表示方法は、文字データ及び画像データが表示可能な画像表示部を含み、受信した電子メールの内容を前記画像表示部に表示するメール情報端末の背景画像表示方法であって、前記受信した電子メールに添付された添付ファイルが前記画像表示部の背景に表示される背景画像のファイルか否かを検出するステップと、前記背景画像のファイルであることが検出された時に前記画像表示部の背景に表示中の背景画像を当該背景画像のファイルの画像に切換えて表示するステップとを備えている。
【００１４】
本発明による背景画像表示方法のプログラムは、文字データ及び画像データが表示可能な画像表示部を含み、受信した電子メールの内容を前記画像表示部に表示するメール情報端末の背景画像表示方法のプログラムであって、コンピュータに、前記受信した電子メールに添付された添付ファイルが前記画像表示部の背景に表示される背景画像のファイルか否かを検出する処理と、前記背景画像のファイルであることが検出された時に前記画像表示部の背景に表示中の背景画像を当該背景画像のファイルの画像に切換えて表示する処理とを実行させている。
【００１５】
すなわち、本発明のメール情報端末は、電話機や携帯電話機等の画像表示部を具備した電子メール端末装置において、添付ファイル付きの受信メールから背景画像ファイルを検出し、背景画像を受信した添付ファイルの画像に自動的に切換えて表示することを可能としている。
【００１６】
より具体的に説明すると、本発明のメール情報端末では、受信したメールの添付文書が自動的に表示を切換える背景画像かを判定する背景画像判定手段と、表示中の背景画像を受信メールの添付文書の画像に切換える背景画像切換手段とを具備し、表示手段に表示できない画像の場合、背景画像切換手段が表示不可メール返信手段から発信者に表示できないことをメールで返信している。
【００１７】
これによって、本発明のメール情報端末では、ユーザがインタネットに接続して画像を探したり、取得した画像を加工したり、蓄積された画像への切換え操作をしたり等の操作を行うことなく、表示部の背景画像を切換えることが可能となる。
【００１８】
また、本発明のメール情報端末では、受信メールに添付されたファイルの画像を自動的に表示部に表示しているので、インタネットで画像を探すことなく、装置が予め具備していない画像を表示することが可能となる。
【００１９】
さらに、本発明のメール情報端末では、表示できない画像の場合、表示できない理由をメールで返信しているため、表示部に表示できない画像を再度、送信してもらうことが可能となる。
【００２０】
【発明の実施の形態】
次に、本発明の実施例について図面を参照して説明する。図１は本発明の一実施例によるメール情報端末の構成を示すブロック図である。図１において、メール情報端末１はメール受信手段１１と、受信メール蓄積手段１２と、背景画像記憶手段１３と、表示手段１４と、背景画像切換手段１５と、背景画像判定手段１６と、背景画像展開手段１７と、背景画像表示手段１８と、表示不可メール返信手段１９と、記録媒体２０とから構成されている。
【００２１】
メール受信手段１１はメールを受信し、受信メール蓄積手段１２はメール受信手段１１が受信したメールを記憶し、背景画像記憶手段１３は背景画像を記憶する。表示手段１４は文字データ及び画像データの表示が可能となっている。背景画像切換手段１５は背景画像判定手段１６と背景画像展開手段１７と背景画像表示手段１８とをそれぞれ制御する。
【００２２】
背景画像判定手段１６は受信したメールの添付文書が背景画像かを判定し、その画像が表示手段１４に表示できるフォーマット及びサイズであることを検出する。背景画像展開手段１７は受信メールの添付ファイルを背景画像記憶手段１３に展開する。背景画像表示手段１８は背景画像記憶手段１３に記憶された画像を表示手段１４に表示する。
【００２３】
表示不可メール返信手段１９は受信した背景画像が表示手段１４に表示できない画像の場合、表示できないことと、表示可能な画像の情報をメールで返送する。記録媒体２０はコンピュータで実行可能なプログラムを格納しており、メール情報端末１のＣＰＵ（中央処理装置）等のコンピュータがそのプログラムを実行することで、上記の各手段の処理が実現される。
【００２４】
図２は本発明の一実施例によるメール送信装置の動作を示すフローチャートであり、図３は図１のメール情報端末１の動作を示すフローチャートである。これら図１〜図３を参照してメール情報端末１の動作について説明する。図３に示す処理はメール情報端末１のＣＰＵ等のコンピュータが記録媒体２０のプログラムを実行することで実現される。
【００２５】
図示せぬメール送信装置は、天気予報を毎日ある決められた時間または予報の内容が変化する毎に（図２ステップＳ１，Ｓ２）、天気予報のメールをメール情報端末１に送信する（図２ステップＳ３）。この場合、送信メールには天気予報の内容を予め決められた名前及びフォーマットの画像ファイルが添付されて送信される。
【００２６】
メール情報端末１はセンタ（メールサーバ等）にメールが到着したことを認識すると（図３ステップＳ１１）、メール受信手段１１がセンタからメールを自動的に受信する（図３ステップＳ１２）。メール受信手段１１が受信したメールは、メールに添付されたファイルもそのまま、受信メール蓄積手段１２に記憶される（図３ステップＳ１３）。
【００２７】
メールを受信した時、背景画像切換手段１５は背景画像判定手段１６を起動し（図３ステップＳ１４）、受信メールに添付されたファイルの名前や送信者のメールアドレス等から添付ファイルが背景画像か否かを判定する（図３ステップＳ１５）。背景画像判定手段１６は添付ファイルが背景画像であると認識すると、、背景画像切換手段１５に受信メールの添付ファイルが背景画像であることを通知する（図３ステップＳ１６）。
【００２８】
背景画像切換手段１５は背景画像展開手段１７を起動し、その受信メールの添付ファイルを背景画像記憶手段１３に、表示手段１４に表示するフォーマットに展開する（図３ステップＳ１７）。背景画像展開手段１７は正常に展開が終了すると（図３ステップＳ１８）、背景画像切換手段１５に正常に展開したことを通知する（図３ステップＳ１９）。
【００２９】
背景画像切換手段１５は正常に展開されたことを認識すると、背景画像表示手段１８を起動し、背景画像記憶手段１３に記憶した内容を表示手段１４に背景画像として表示する（図３ステップＳ２０）。表示手段１４には天気予報のメールを受信する毎に、天気予報の画像が背景画面として表示される。
【００３０】
背景画像展開手段１７は受信メールに添付された添付ファイルが展開できないフォーマットや、表示手段１４の表示エリアをはみ出す大きなサイズの画像の場合、背景画像記憶手段１３に正常に展開できなかった旨を背景画像切換手段１５に通知する（図３ステップＳ２１）。
【００３１】
背景画像切換手段１５は背景画像記憶手段１３に展開できなかったことを認識すると、受信したメールの送信元メールアドレスに、表示手段１４に表示することができる画像サイズや、展開可能なファイルのフォーマット等の情報を付加して表示不可メール返信手段１９から背景画像として使用できなかった旨をメールで返信する（図３ステップＳ２２）。
【００３２】
このように、本実施例では、ユーザがインタネットに接続して画像を探したり、取得した画像を加工したり、蓄積された画像への切換え操作をしたり等の操作を行うことなく、表示手段１４への背景画像を切換えることができる。
【００３３】
また、本実施例では、受信メールに添付されたファイルの画像を自動的に表示手段１４に表示するので、インタネットで画像を探すことなく、自装置が予め具備していない画像を表示することができる。
【００３４】
さらに、本実施例では、添付ファイルの画像が表示できない画像の場合、表示できない理由を表示不可メール返信手段１９から送信元にメールで返信するため、表示手段１４に表示できない画像を再度、送信してもらうことができる。
【００３５】
図４は本発明の他の実施例によるメール情報端末の構成を示すブロック図である。図４において、本発明の他の実施例によるメール情報端末２では、表示メール選択手段２１と、受信メール表示手段２２とを設けた以外は図１に示す本発明の一実施例によるメール情報端末１の構成と同様の構成となっており、同一構成要素には同一符号を付してある。また、同一構成要素は本発明の一実施例によるメール情報端末１と同様の動作を行う。尚、表示メール選択手段２１及び受信メール表示手段２２の動作を除いて、メール情報端末２の動作は上述した通りであるので、その説明は省略する。
【００３６】
図５は図４の表示メール選択手段２１及び受信メール表示手段２２の動作を示すフローチャートである。これら図４及び図５を参照して表示メール選択手段２１及び受信メール表示手段２２の動作について説明する。
【００３７】
背景画像記憶手段１３に記録した画像を表示手段１４に表示している状態において（図５ステップＳ３１）、図示せぬボタン等の表示メール選択手段２１からユーザ操作を検出した時（図５ステップＳ３２）、受信メール表示手段２２は受信メール蓄積手段１２から、現在、表示手段１４に表示している画像のメール本文を読出して表示手段１４に表示する（図５ステップＳ３３）。
【００３８】
背景画像に表示している画像が天気予報だった場合、メール本文に台風情報や週間天気予報等が記述されていれば、より詳細な情報をワンタッチで表示手段１４に表示することができる。
【００３９】
これによって、本実施例では、表示手段１４において背景に表示した画像では表現しきれない内容（例えば、台風情報や週間天気予報等のメール本文）を簡単な操作で表示手段１４に表示することができ、操作性をより向上させることができるという効果が得られる。
【００４０】
【発明の効果】
以上説明したように本発明は、文字データ及び画像データが表示可能な画像表示部を含み、受信した電子メールの内容を画像表示部に表示するメール情報端末において、受信した電子メールに添付された添付ファイルが画像表示部の背景に表示される背景画像のファイルか否かを検出し、背景画像のファイルであることが検出された時に画像表示部の背景に表示中の背景画像を当該背景画像のファイルの画像に切換えて表示することによって、ユーザが操作することなく、表示部の背景画像を切換えることができるという効果が得られる。
【図面の簡単な説明】
【図１】本発明の一実施例によるメール情報端末の構成を示すブロック図である。
【図２】本発明の一実施例によるメール送信装置の動作を示すフローチャートである。
【図３】図１のメール情報端末の動作を示すフローチャートである。
【図４】本発明の他の実施例によるメール情報端末の構成を示すブロック図である。
【図５】図４の表示メール選択手段及び受信メール表示手段の動作を示すフローチャートである。
【符号の説明】
１，２　メール情報端末
１１　メール受信手段
１２　受信メール蓄積手段
１３　背景画像記憶手段
１４　表示手段
１５　背景画像切換手段
１６　背景画像判定手段
１７　背景画像展開手段
１８　背景画像表示手段
１９　表示不可メール返信手段
２０　記録媒体
２１　表示メール選択手段
２２　受信メール表示手段
【図１】
2004145492.tif 000003
【図２】
2004145492.tif 000004
【図３】
2004145492.tif 000005
【図４】
2004145492.tif 000006
【図５】
2004145492.tif 000007